(57)【要約】【課題】現像剤特性の変化を迅速に検出する現像装置及びそれを用いた画像形成装置、並びに、現像方法及びそれを用いた画像形成方法を提供する。【解決手段】キャリア液中に着色剤と樹脂からなるトナー粒子を分散させた液体の現像剤を担持する現像剤担持体５４Ｋと、現像剤担持体５４Ｋに現像剤を供給する現像剤供給部材５１Ｋと、現像剤担持体５４Ｋに対向し、現像剤供給部材５１Ｋにより供給された現像剤担持体５４Ｋ上の現像剤に電界を付与し、現像剤の固形分を現像剤担持体５４Ｋ側へ圧縮する現像剤圧縮部材５５Ｋと、現像剤圧縮部材５５Ｋに電圧を印可する現像剤圧縮部材電圧印可手段１０２Ｋと、現像剤圧縮部材５５Ｋから現像剤担持体５４Ｋへ流れる電流を検知する電流検知手段Ａと、を備えたことを特徴とする。【選択図】図１
2008107787.tif 000002
【特許請求の範囲】
【請求項１】
キャリア液中に着色剤と樹脂からなるトナー粒子を分散させた液体の現像剤を担持する現像剤担持体と、前記現像剤担持体に現像剤を供給する現像剤供給部材と、前記現像剤担持体に対向し、前記現像剤供給部材により供給された前記現像剤担持体上の現像剤に電界を付与し、現像剤の固形分を前記現像剤担持体側へ圧縮する現像剤圧縮部材と、前記現像剤圧縮部材に電圧を印可する現像剤圧縮部材電圧印可手段と、前記現像剤圧縮部材から前記現像剤担持体へ流れる電流を検知する電流検知手段と、を備えたことを特徴とする現像装置。
【請求項２】
前記電流検知手段は、所定時間検出した電流値の平均を検出値とすることを特徴とする請求項１に記載の現像装置。
【請求項３】
前記現像剤供給部材が、表面に微細な凹凸を形成したアニロックスローラからなることを特徴とする請求項１又は請求項２に記載の現像装置。
【請求項４】
前記現像剤圧縮部材電圧印可手段が定電圧制御手段を備えることを特徴とする請求項１乃至請求項３のいずれかに記載の現像装置。
【請求項５】
前記現像剤担持体と前記現像剤供給部材に電圧を印加する現像剤担持体電圧印加手段を備え、前記現像剤担持体電圧印加手段が定電圧制御手段を有することを特徴とする請求項１乃至請求項４のいずれかに記載の現像装置。
【請求項６】
前記現像剤担持体により潜像を現像される像担持体と、前記現像剤担持体上に担持された現像剤のうち、前記像担持体上の非画像部に該当した現像剤を回収し、回収した現像剤を再利用するリサイクル装置と、を備え、前記電流検知手段のデータに基づいて使用している全ての現像剤を廃棄する液体現像剤廃棄手段を備えることを特徴とする請求項１乃至請求項５のいずれかに記載の現像装置を用いる画像形成装置。
【請求項７】
前記電流検知手段と前記液体現像剤廃棄手段とを複数色毎の前記現像装置に配置することを特徴とする請求項６に記載の画像形成装置。
【請求項８】
前記電流検知手段の検知した電流に応じて、パッチ処理を実行し、パッチ濃度に基づいて画像形成条件を設定することを特徴とする請求項１乃至請求項５のいずれかに記載の現像装置を用いる画像形成装置。
【請求項９】
前記電流検知手段の検知した電流が、前記画像形成装置起動時に設定した基準値から所定範囲はずれた場合、パッチ処理を実行し、パッチ濃度に基づいて画像形成条件を設定することを特徴とする請求項８に記載の画像形成装置。
【請求項１０】
前記画像形成条件とは、前記現像剤担持体及び前記像担持体の印可電圧であることを特徴とする請求項８又は請求項９に記載の画像形成装置。
【請求項１１】
キャリア液中に着色剤と樹脂からなるトナー粒子を分散させた液体の現像剤を用い、現像剤担持体上の現像剤に電界を付与し現像剤の固形分を前記現像剤担持体側へ圧縮する現像剤圧縮部材から前記現像剤担持体へ流れる電流を検知することを特徴とする現像方法。
【請求項１２】
前記現像剤担持体上に担持された現像剤のうち、像担持体上の非画像部に該当し、回収され、再利用する全ての現像剤を、前記電流を検知し、そのデータに基づいて廃棄することを特徴とする請求項１１に記載の前記現像方法を用いた画像形成方法。
【請求項１３】
前記検知した電流が、前記画像形成装置起動時に設定した基準値から所定範囲はずれた場合、パッチ処理を実行し、パッチ濃度に基づいて前記現像剤担持体及び前記像担持体の印可電圧を設定することを特徴とする請求項１１に記載の前記現像方法を用いた画像形成方法。
【発明の詳細な説明】
【技術分野】
【０００１】
本発明は、キャリア液中にトナーを分散させた液体トナーを用いた現像装置及びそれを用いた画像形成装置、並びに、現像方法及びそれを用いた画像形成方法に関する。
【背景技術】
【０００２】
液体トナーを用いた画像形成方法の従来技術として、特開２００２−２７８２９１号公報には、液体トナーを担持した現像ローラにより感光体上の潜像を現像する画像形成方法において、現像前の現像ローラの液体トナーを圧縮するための圧縮ローラを配置し、前記現像ローラと圧縮ローラとに、それぞれ独立した電圧を印加し、圧縮ローラの印加電圧＞現像ローラの印加電圧とすることにより、画像のカブリ、濃度ムラを防止し、高品質の画像を得るようにした画像形成方法が開示されている。
【特許文献１】特開２００２−２７８２９１号公報
【発明の開示】
【発明が解決しようとする課題】
【０００３】
画像形成装置は、現像ローラ上のトナー層を圧縮して膜化することで、その後の現像・転写工程でトナー層が移動しやすくなり、高い現像・転写効率と乱れの無い画像が得られる。
【０００４】
しかしながら、不揮発性のキャリア液中に少なくとも着色剤と樹脂からなるトナー粒子を分散剤によって分散させた液体現像剤を用いた印刷方式では、長期の運転による現像剤の経時変化や温度・湿度環境の影響による吸湿に伴うキャリア液中の水分量の変化による現像剤の導電性の変化、水分量の変化の影響、経時変化・温度変化に伴う分散剤のトナー粒子への付着状態の変化が原因として考えられる現像剤の帯電特性の変化、分散剤の付着状態の変化が原因として考えられるトナー粒子同士の凝集による粒度分布の変化、及び、これらに伴うトナー粒子の電界に対する移動度の変化等の現像剤特性の変化が起こりうる。
また、一度現像剤担持体に搬送された現像剤のうち、非画像部で感光体へと現像されなかった現像剤を回収して再利用するようなリサイクルを行う画像形成装置においては、圧縮部材と現像剤担持体で形成される圧縮部材ニップや現像剤担持体と感光体で形成される現像ニップでの電界を通過した現像剤を再度利用するため、圧縮部材の電界や現像ニップ非画像部での電界によりトナー粒子が現像剤担持体へと押し付けられるため、結果として粒子同士が押し付けられるかたちになり、粒子同士の分散状態が悪化して発生する粒子同士の凝集や電界をうけることにより分散剤が粒子から脱離する可能性から考えられる分散剤の粒子への付着状態の変化、つまり、粒子に付着する分散剤量の変化が起こりうる。
さらに、現像ニップにおいて、画像部では大部分の粒子がキャリア液を伴って感光体へ現像されキャリア液の一部が現像剤担持体に残る。逆に非画像部では、大部分の粒子がキャリア液を伴って現像剤担持体に残り、キャリア液の一部が感光体へと転写される。このため、現像剤後に現像剤担持体に残る現像剤のトナー粒子とキャリア液の比率は印刷する画像濃度によって変化する。例えば、ベタ画像の印刷では、キャリア液の比率が極端に高いものが現像剤担持体に残りこれがクリーナにより回収される。このように、クリーナ回収されリサイクルされる液は、トナー粒子とキャリア液の比率が元の現像剤と異なるため、これを再調整しない限り、比率が異なった状態でリサイクルされることとなる。また、再調整したとしても、その調整精度によってはオリジナルの比率とは若干異なる現像液が再度利用されることになる。したがって、現像剤内のトナー粒子分とキャリア液分の比率の変化が起こりうる。
このような現像剤の変化は、圧縮部材ニップ、現像ニップ、転写ニップといった電界により現像剤粒子を移動させる工程において、その挙動に影響を与える。その結果、画像濃度の変化や、リブと呼ばれる縦筋状の画像乱れ、非画像部へのかぶりなどの不具合を起こす。
【０００５】
本発明は、前記課題を解決するために、現像剤特性の変化を迅速に検出する現像装置及びそれを用いた画像形成装置、並びに、現像方法及びそれを用いた画像形成方法を提供することを目的とする。
【課題を解決するための手段】
【０００６】
本発明の現像装置は、キャリア液中に着色剤と樹脂からなるトナー粒子を分散させた液体の現像剤を担持する現像剤担持体と、前記現像剤担持体に現像剤を供給する現像剤供給部材と、前記現像剤担持体に対向し、前記現像剤供給部材により供給された前記現像剤担持体上の現像剤に電界を付与し、現像剤の固形分を前記現像剤担持体側へ圧縮する現像剤圧縮部材と、前記現像剤圧縮部材に電圧を印可する現像剤圧縮部材電圧印可手段と、前記現像剤圧縮部材から前記現像剤担持体へ流れる電流を検知する電流検知手段と、を備えたことを特徴とするので、電流の変動から現像剤特性が変化したことを検出することが可能となり、不具合に対して迅速に対応できる。
【０００７】
また、前記電流検知手段は、所定時間検出した電流値の平均を検出値とすることを特徴とするので、精度良く検知することができる。
また、前記現像剤供給部材が、表面に微細な凹凸を形成したアニロックスローラからなることを特徴とするので、安定した現像剤の供給をすることができる。
また、前記現像剤圧縮部材電圧印可手段が定電圧制御手段を備えることを特徴とするので、現像剤の固形分の移動が安定して行われる。
また、前記現像剤担持体と前記現像剤供給部材に電圧を印加する現像剤担持体電圧印加手段を備え、前記現像剤担持体電圧印加手段が定電圧制御手段を有することを特徴とするので、現像剤の供給及び現像剤の固形分の移動が安定して行われる。
さらに、本発明の現像装置を用いる画像形成装置は、前記現像剤担持体により潜像を現像される像担持体と、前記現像剤担持体上に担持された現像剤のうち、前記像担持体上の非画像部に該当した現像剤を回収し、回収した現像剤を再利用するリサイクル装置と、を備え、前記電流検知手段のデータに基づいて使用している全ての現像剤を廃棄する液体現像剤廃棄手段を備えることを特徴とするので、劣化した現像剤を使用することなく、画像の乱れの発生を防止することができる。
また、前記電流検知手段と前記液体現像剤廃棄手段とを複数色毎の前記現像装置に配置することを特徴とするので、高品質のフルカラー画像を得ることができる。
また、前記電流検知手段の検知した電流に応じて、パッチ処理を実行し、パッチ濃度に基づいて画像形成条件を設定することを特徴とするので、現像剤の変化を判断し、必要に応じてパッチ形成を行い、適正な画像濃度が得られる画像形成条件を再設定することで、現像剤が変化しても良好な画像を得ることが出来る。
また、前記電流検知手段の検知した電流が、前記画像形成装置起動時に設定した基準値から所定範囲はずれた場合、パッチ処理を実行し、パッチ濃度に基づいて画像形成条件を設定することを特徴とするので、精度良くパッチ処理を実行することができる。
また、前記画像形成条件とは、前記現像剤担持体及び前記像担持体の印可電圧であることを特徴とするので、高品質の画像を得ることができる。
【発明を実施するための最良の形態】
【０００８】
本発明の実施の形態を図により説明する。図１は、本発明の実施形態の画像形成装置の主要構成を示す図である。
【０００９】
中間転写ベルト７０は、ベルト駆動ローラ８２、従動ローラ８５に張架されたエンドレスベルトであり、感光体２０Ｙ、２０Ｍ、２０Ｃ、２０Ｋと当接しながら回転駆動される。中間転写ベルト７０，一次転写バックアップローラ６１Ｙ、６１Ｍ、６１Ｃ、６１Ｋ及び感光体２０Ｙ、２０Ｍ、２０Ｃ、２０Ｋとで構成された一次転写ユニット６０Ｙ、６０Ｍ、６０Ｃ、６０Ｋにより、中間転写ベルト７０上に４色の液体トナーが順次重ねて転写され、フルカラー液体トナー像が形成される。なお、本実施形態では、キャリア液中に着色剤と樹脂からなるトナー粒子を分散させた液体の現像剤を用いる。
【００１０】
二次転写ユニット８０は、二次転写ローラ８１、中間転写ベルト駆動ローラ８２、二次転写ローラブレード８３、二次転写ローラクリーニング液回収部８４から構成され、中間転写ベルト７０上に形成された単色液体トナー像やフルカラー液体トナー像を紙当の記録媒体に転写する。
【００１１】
不図示の定着ユニットは、記録媒体上に転写された単色液体トナー像やフルカラー液体トナー像を記録媒体上に融着して永久像とするための装置である。
【００１２】
現像ユニット５０Ｙ、５０Ｍ、５０Ｃ、５０Ｋは、それぞれ、イエロー（Ｙ）液体トナー、マゼンタ（Ｍ）液体トナー、シアン（Ｃ）液体トナー、ブラック（Ｋ）液体トナーで潜像を現像する機能を有している。
【００１３】
現像ユニット５０Ｙ、５０Ｍ、５０Ｃ、５０Ｋは、概略、各液体トナーを貯蔵する現像トナー容器５３Ｙ、５３Ｍ、５３Ｃ、５３Ｋ、これら現像トナー容器から各液体トナーを現像ローラ５４Ｙ、５４Ｍ、５４Ｃ、５４Ｋに供給するトナー供給ローラ５１Ｙ、５１Ｍ、５１Ｃ、５１Ｋ、感光体２０Ｙ、２０Ｍ、２０Ｃ、２０Ｋを帯電する帯電器３０Ｙ、３０Ｍ、３０Ｃ、３０Ｋ、帯電された感光体に静電潜像を形成する露光ユニット４０Ｙ、４０Ｍ、４０Ｃ、４０Ｋから成る。
【００１４】
なお、装置内には、温度センサ１０及び湿度センサ１１を有する。
【００１５】
現像ユニット５０Ｙ、５０Ｍ、５０Ｃ、５０Ｋの構成は同様であるので、以下、現像ユニット５０Ｋについて説明する。
【００１６】
図１に示すように、感光体２０Ｋの回転方向に沿って、主に帯電ユニット３０Ｋ、露光ユニット４０Ｋ、一次転写ユニット６０Ｋが配されている。感光体２０Ｋは、円筒状の基材とその外周面に形成された感光層を有し、中心軸を中心に回転可能であり、本実施形態においては、時計回りの回転をする。
【００１７】
帯電ユニット３０Ｋは、感光体２０Ｋを帯電するための装置である。露光ユニット４０Ｋは、半導体レーザ、ポリゴンミラー、Ｆ−θレンズ等を有しており、変調されたレーザを帯電された感光体２０Ｋ上に照射し潜像を形成する。
【００１８】
現像ユニット５０Ｋは、感光体２０Ｋ上に形成された潜像を、ブラック（Ｋ）液体トナーを用いて現像するための装置である。現像ユニット５０Ｋにつては後述する。
【００１９】
一次転写ユニット６０Ｋは、感光体２０Ｋ上に形成されたブラック液体トナー像を中間転写ベルト７０に転写するための装置である。
【００２０】
図２は、現像ユニット５０Ｋの主要構成要素を示した断面図である。現像トナー容器５３Ｋは、感光体２０Ｋ上に形成された潜像を現像するための、ブラック液体トナーを収容する。本実施形態に用いる液体トナーは、熱可塑性樹脂中へ顔料等の着色剤を分散させた平均粒径１μｍの固形子を、有機溶媒、シリコンオイル、鉱物油又は食用油等の液体溶媒中に分散剤とともに添加し、トナー固形分濃度を約２５％とした高粘度（３０〜１００００ｍＰａ・ｓ程度）で、常温で不揮発性の液体トナーである。
【００２１】
現像トナー容器５３Ｋからは、トナー供給ローラ５１Ｋにより、現像ローラ５４Ｋへと液体トナーが供給される。トナー供給ローラ５１Ｋは、円筒状の部材であり、図２に示すように時計回りに回転し、表面に微細且つ一様に螺旋状の溝を形成したアニロックスローラである。溝の寸法は、溝ピッチが約１３０μｍ、溝深さが約３０μｍである。図３はトナー供給ローラ４の斜視図、図４はトナー供給ローラ４の溝ピッチと溝深さを表す図を示す。
トナー規制ブレード５２Ｋは、トナー供給ローラ５１Ｋの表面に当接するウレタンゴム等からなるゴム部と、外ゴム部を支持する金属等の板で構成され、トナー供給ローラ５１Ｋに残存する液体トナーを掻き落とし除去する。図５はトナー規制ブレード５がトナー量を規制している図を示す。
【００２２】
現像ローラ５４Ｋは、円筒状の部材であり、中心軸を中心に図２に示すように反時計回りに回転する。該現像ローラ５４Ｋは鉄等金属製の内芯の外周部に導電性ウレタンゴム等の弾性体と樹脂層やゴム層を備えたものである。現像ローラ５４Ｋには、現像ローラブレード５８Ｋ、及び現像ローラクリーニング液回収部５９Ｋが設けられている。現像ローラブレード５８Ｋは、現像ローラ５４Ｋの表面に当接するゴム等で構成され、現像ローラ５４Ｋに残存する液体トナーを掻き落とし除去する。現像ローラクリーニング液回収部５９Ｋは、現像ローラブレード５８Ｋが掻き落とした液体トナーを貯留する容器である。
【００２３】
圧縮ローラ５５Ｋは、円筒状の部材であり、中心軸を中心に回転し、金属ローラの表層に導電性の樹脂やゴム層を備えている。その回転方向は、図２に示すように、現像ローラ５４Ｋと反対方向の時計回りである。圧縮ローラ５５Ｋには、現像ローラ５４Ｋとは別に電圧が印加され、両ローラ間に電位差を設けている。圧縮ローラブレード５６Ｋは、圧縮ローラ５５Ｋの表面に当接するゴム等で構成され、圧縮ローラ５５Ｋに残存する液体トナーを掻き落として除去する。圧縮ローラクリーニング液回収部５７Ｋは、圧縮ローラブレード５６Ｋが掻き落とした液体トナーを貯留する容器である。
【００２４】
感光体２０Ｋは、現像ローラ５４Ｋの幅より広く、外周面に感光層が形成された円筒状の部材であり、中心軸を中心に図２に示すように時計回りで回転する。該感光体２０Ｋの感光層は、有機感光体又はアモルファスシリコン感光体等で構成される。
【００２５】
帯電器３０Ｋは、感光体２０Ｋと現像ローラ５４Ｋとのニップ部上流に設けられる。帯電器３０Ｋは、図示しない電源装置から液体トナーと同極性のバイアスを印加され、感光体２０Ｋを帯電する。帯電された感光体２０Ｋに、露光ユニット４０Ｋからレーザが照射され潜像が形成される。形成された潜像は、現像ローラ５４Ｋにより現像され、一次転写ユニット６０Ｋにおいて、中間転写ベルト７０に一次転写される。
【００２６】
次にこのような画像形成装置の動作について説明する。引き続き、現像ユニットは、４つの現像ユニットのうち現像ユニット５０Ｋを例にとり説明する。
【００２７】
現像トナー容器５３Ｋ中の液体トナーは、固形分濃度２５％で、粘度３０〜１００００ｍＰａ・ｓで、トナー粒子はプラスの電荷を有する。液体トナーは、トナー供給ローラ５１Ｋが回転することにより、現像トナー容器５３Ｋから汲み上げられる。トナー規制ブレード５２Ｋは、トナー規制ブレード５２Ｋは、トナー供給ローラ５１Ｋの表面に当接し、トナー供給ローラ５１Ｋの表面に形成された溝内の現像液を残し、その他の余分な現像液を掻き取り、現像ローラ５４Ｋに供給する液体トナー量を規制する。この規制によって、現像ローラ５４Ｋに塗布される液体トナーの膜厚は６μｍになるよう定量化する。トナー規制ブレード５２Ｋで掻き取った液体トナーは、重力によって現像トナー容器５３Ｋに落下する。トナー供給ローラ５１Ｋには、＋３００〜＋５００Ｖ又はそれ以上の電圧が印加される。
【００２８】
液体トナーが塗布された現像ローラ５４Ｋは、トナー供給ローラ５１Ｋとのニップ部下流で圧縮ローラ５５Ｋに当接する。現像ローラ５４Ｋには、＋３００〜＋５００Ｖ、例えば＋４００Ｖの電圧が印加される。圧縮ローラ５５Ｋには、現像ローラ５４Ｋの印加電圧より２００〜５００Ｖ高い電圧が印加される。つまり、現像ローラ５４Ｋの印加電圧が、＋４００Ｖなら、圧縮ローラ５５Ｋの印加電圧は＋６００〜＋９００Ｖ、例えば＋８００Ｖとなる。このため、現像ローラ５４Ｋ上のトナーは、圧縮ローラ５５Ｋとのニップを通過する際、現像ローラ５４Ｋ側に移動し、圧縮ローラ５５Ｋにはほとんどトナー粒子を含まないキャリア液のみが回収される。これにより、トナー粒子同士が緩やかに結合され膜化された状態になる。その結果、現像部でのトナーの移動が素早くなり、画像濃度が向上する。
【００２９】
圧縮ローラ５５Ｋは、現像ローラ５４Ｋ表面に対して等速で連れ回り方向に回転する。但し、圧縮ローラ５５Ｋの回転速度、回転方向を、現像ローラ５４Ｋの回転速度に対して速度差を設けたり、現像ローラ５４Ｋ表面と対向するカウンタ方向に回転させてもよい。圧縮ローラ５５Ｋには、圧縮ローラブレード５６Ｋが当接する。但し、圧縮ローラブレード５６Ｋを設けなくてもよい。この場合、圧縮ローラ５５Ｋには、一定膜厚のキャリアが保持され、現像ローラ５４Ｋ上のトナー層のキャリア量は、圧縮ローラ５５Ｋとのニップ前後で変化しない。
【００３０】
感光体２０Ｋは、アモルファスシリコンを用い、現像ローラ５４Ｋとのニップ部上流でコロナ帯電器３０Ｋのワイヤに約＋４．５ｋＶ〜＋５．５ｋＶを印加することにより、表面を約＋５００Ｖ〜＋６００Ｖ、例えば＋６００Ｖに帯電する。帯電後、露光ユニット４０Ｋにより画像部の電位が約＋２０〜＋５０Ｖ、例えば＋２５Ｖとなるように潜像が形成される。現像ローラ５４Ｋと感光体２０Ｋとの間に形成される現像ニップ部では、現像ローラ５４Ｋに印加されているバイアス＋４００Ｖと感光体２０Ｋ上の潜像（画像部＋２５Ｖ、非画像部＋６００Ｖ）で形成される電界にしたがい、選択的にトナー粒子が感光体２０Ｋ上の画像部へと移動する。これにより、感光体２０Ｋ上にトナー画像が形成される。キャリア液は、電界の影響を受けないため、現像ローラ５４Ｋと感光体２０Ｋとの現像ニップ部出口で分離し、現像ローラ５４Ｋと感光体２０Ｋとの両方に付着する。
【００３１】
現像ニップ部を通過した感光体２０Ｋは、中間転写ベルト７０とのニップ部を通過し、一次転写が行われる。一次転写バックアップローラ６１Ｋには、トナー粒子の帯電特性と逆極性の約−２００Ｖの電圧が印加されており、感光体２０Ｋ上のトナー粒子は、中間転写ベルト７０に一次転写され、感光体２０Ｋにはキャリア液のみが残る。感光体２０Ｋ上に残ったキャリア液は、一次転写部下流の感光体ブレード２１Ｋにより掻き取られ、感光体クリーニング液回収部２２Ｋで回収される。
【００３２】
一次転写ユニット６０Ｋで中間転写ベルト７０上に一次転写されたトナー画像は、二次転写ユニット８０へ向かう。二次転写ユニット８０において、二次転写ローラ８１には、−１０００Ｖの電圧が印加され、中間転写ベルト駆動ローラ８２は０Ｖに保たれており、中間転写ベルト７０上のトナー粒子は、紙等の記録媒体に二次転写される。
【００３３】
なお、図６は、第２実施形態の現像ユニット５０Ｋの主要構成要素を示した断面図、図７は圧縮ローラ５５Ｋを示す図である。図６に示すように、圧縮ローラ５５Ｋは、現像ローラ５４Ｋに接触していなくてもよい。圧縮ローラ５５Ｋと現像ローラ５４Ｋのギャップは、図７に示すように、圧縮ローラ５５Ｋの両端に形成したギャップ材５５ａＫにより形成し、ギャップ距離は約５０μｍとする。また、図６に示すように、圧縮ローラ５５Ｋと現像ローラ５４Ｋとは、非接触としているが、圧縮ローラ５５Ｋに現像剤が付着してしまう場合も考えられるため、圧縮ローラブレード５６Ｋを設けるのが好ましい。
【００３４】
このような画像形成装置による画像形成課程で、長期の運転によるトナーの劣化や、環境の影響、製造ロット違いのトナーを補給した際など、トナー特性が変化することがあり、電界に対する圧縮のされ方が変化する。このため、トナー特性の変化により、圧縮状態が変化し、リブによる濃度ムラ、クリーニング不良や現像不良といった不具合が発生する。
【００３５】
現像剤特性の変化、すなわち、導電性・帯電特性・粒度分布・分散剤の粒子への付着状態・トナー粒子とキャリア液の比率といった変化は、圧縮ローラ５５Ｋと現像ローラ５４Ｋ間の電界下でのキャリア液中のトナー粒子の移動挙動や現像剤層の抵抗変化として現れ、結果として圧縮ローラ５５Ｋから現像剤ローラ５４Ｋへと流れる電流の変化として現れる。従って、電流をモニターすることでその変動から現像剤特性が変化したことを検出することが可能となる。
【００３６】
本発明の実施形態の画像形成方法では、図８に示すように、圧縮ローラ５５Ｋに電圧を印可している電源の電流をモニターし、不具合に対して迅速に対応できるようにする。図中、１０１Ｋは現像剤担持体電圧印可手段の一例としての現像ローラ電圧印可手段、１０２Ｋは現像剤圧縮部材の一例としての圧縮ローラ電圧印可手段である。
【００３７】
現像ローラ５４Ｋおよびトナー供給ローラ５１Ｋには同一の現像ローラ電圧印加手段１０１Ｋが接続されており、同一のバイアス電圧が印加される。圧縮ローラ５５Ｋには、独立の圧縮ローラ電圧印加手段１０２Ｋが接続されており、現像ローラ５４Ｋよりも高いバイアスが印加される。よって、圧縮ローラ用電圧印加手段１０２Ｋで印加された電圧により、圧縮ローラ５５Ｋから現像ローラ５４Ｋへと電流が流れる。この圧縮ローラ用電圧印加手段１０２Ｋが流す電流を電流検知手段Ａによりモニターする。
現像ローラ電圧印加手段１０１Ｋと圧縮ローラ電圧印加手段１０２Ｋはそれぞれ定電圧制御手段を備え定電圧制御される。このため、現像ローラ５４Ｋ上のトナーは、圧縮ローラ５５Ｋとのニップを通過する際、現像ローラ５４Ｋ側に移動し、圧縮ローラ５５Ｋにはほとんどトナー粒子を含まないキャリア液のみが回収される。これにより、トナー粒子同士が緩やかに結合され膜化された状態になる。その結果、現像部でのトナーの移動が素早くなり、画像濃度が向上する。
電流検知手段Ａは、図９に示すように、圧縮ローラ用電圧印加手段１０２Ｋ側に配置しても、図１０に示すように、現像ローラ電圧印加手段１０１Ｋ側に配置してもよい。
【００３８】
図１１は、圧縮ローラ用電圧印加手段１０２Ｋが流す電流値の高周波の変動を示す図である。図１１で示すように、電流値は圧縮ローラ５５Ｋの回転に伴い高周波での変動が発生するので、この影響を無視するため、実際にモニターする際には、０．５秒程度の時間平均を取り、これを参照する。
【００３９】
なお、圧縮電流の検出は、起動時だけでなく、印刷プロセス中の紙間処理として実行してもよい。このような非印字時に圧縮電流を電流検知手段Ａによりモニターする場合、感光体２０Ｋは帯電せず、現像ローラ５４Ｋと圧縮ローラ５５Ｋとの電圧差を印字時より低く設定する。例えば、現像ローラ５４Ｋのバイアスを−２００Ｖ、圧縮ローラ５５Ｋのバイアスを＋１００Ｖ、一次転写バックアップローラ６１Ｋのバイアスを０Ｖ及び二次転写ローラ８１のバイアスを０Ｖとする。これは、圧縮電流検知時にトナーが感光体２０Ｋに移動しないようにするためである。
【００４０】
以上のように、圧縮ローラ５５Ｋに電圧を印可している電源の電流をモニターするので、その変動から現像剤特性が変化したことを検出することが可能となり、画像形成の不具合に対して迅速に対応できる。
【００４１】
次に、このように圧縮ローラ５５Ｋの電流をモニターすることにより対応できる処理を実施例１乃至４に基づき説明する。
【００４２】
実施例１は、図１２に示すような画像形成条件設定制御である。本実施形態では、予め起動時にパッチシーケンスを実行し、圧縮ローラ５５Ｋの電流基準値を設定しておく。
そして、まずステップ１０１で、圧縮ローラ５５Ｋの電流を検知する（ＳＴ１０１）。次に、ステップ１０２で、検知した電流が予め設定した基準値又は前回設定した基準値から±３０％以内かどうかを判断する（ＳＴ１０２）。電流値が基準値の±３０％以内の基準内であれば、画像形成条件設定制御を終了する。電流が±３０％以内の基準内でなければ、ステップ１０３で、パッチシーケンスを実行し、画像形成条件を設定する（ＳＴ１０３）。次に、ステップ１０４で、画像形成条件を設定した時点の圧縮ローラ５５Ｋの電流値を記録して、これを新しい基準値とし（ＳＴ１０４）、画像形成条件設定制御を終了する。
【００４３】
ここで、パッチシーケンスについて説明する。本実施例のパッチシーケンスでは、初めに現像ローラ５４Kに印可する電圧を決定し、続いて、感光体２０Kの帯電器３０Kに印可する電圧を決定する。
【００４４】
まず、現像ローラ印加電圧を＋３００Ｖから２５Ｖ刻みで増やしながら、図１３に示すようなベタパッチを形成し、その都度パッチ濃度を参照し、規定の濃度に達したら、パッチシーケンスを終了し、その時点での印加電圧を採用する。このとき、圧縮部材への印加電圧は、現像ローラとの電圧差を常に一定値を保つように設定される。現像ローラ印加電圧に対するパッチ濃度すなわちパッチセンサの信号強度は、図１４のようになる。すなわち、現像ローラ電圧が低すぎると現像ローラから感光体へのトナーの移動が不十分になる。この場合、感光体上の画像部のトナーの量が不足したり、現像ニップ出口において、液の泣き別れ界面にトナー粒子が存在することになり、リブによる乱れが生じる。これらの不具合により、パッチの濃度が規定よりも低くなる。図１４の場合は現像ローラ電圧３７５Ｖで規定濃度に達するため、新しい現像ローラ電圧は３７５Ｖに設定される。
【００４５】
続いて、感光体帯電器印加電圧を決定する。現像ローラ印加電圧は上記シーケンスで決定した値を用いる。まず、帯電器のワイヤに印加する電圧を＋４．５ｋＶから０．１ｋＶ刻みで増加させながらパッチを形成し、都度パッチ濃度を参照し、規定の濃度になったら、パッチシーケンスを終了し、その時点でのワイヤ印加電圧を採用する。パッチパターンは主操作方向に１ｏｎ１ｏｆｆのライン郡で構成される図１５に示すようなハーフトーンパターンを用いる。図１６に示すように、現像ローラ印加電圧と感光体帯電バイアスの電圧差の大きさに従い潜像に対しての線の太さが変化する。つまり、図１７に示すように、電圧差が大きくなるほど黒線/白線の面積比で白線の割合が大きくなり、パッチの濃度が低下する。図１６の場合、４．９ｋＶで規定の濃度以上、５．０ｋＶで規定の濃度以下となるので、４．９ｋＶを採用する。
【００４６】
次に、実施例２について説明する。実施例２は、図１８に示すような圧縮ローラ５５Ｋ印可電圧設定制御である。まず、本実施例では、予め画像形成装置起動時に、図１に示す温度センサ１０及び湿度センサ１１により検知される温度・湿度に対する圧縮ローラ５５Ｋの設定電圧値を関係式に基づいて設定しておく。
【００４７】
まず、ステップ２０１で、圧縮ローラ５５Ｋの電流を検知する（ＳＴ２０１）。次に、ステップ２０２で、検知した電流が予め設定した基準値又は前回設定した基準値から±１０％以内かどうかを判断する（ＳＴ２０２）。電流値が基準値の±１０％以内の基準内であれば、圧縮ローラ５５Ｋ印可電圧設定制御を終了する。電流が±１０％以内の基準内でなければ、ステップ２０３で、圧縮ローラ５５Kの印可電圧の設定を実行する（ＳＴ２０３）。次に、ステップ２０４で、圧縮ローラ５５Kの印可電圧を設定した時点の圧縮ローラ５５Ｋの電流値を記録して、これを新しい基準値とし（ＳＴ２０４）、圧縮ローラ５５Ｋ印可電圧設定制御を終了する。
温度・湿度に対する圧縮ローラ５５Ｋの設定電圧値を求める関係式を作成するにあたっては、現像剤の温度が高いほどキャリア液の粘度が下がるためトナー粒子は移動しやすくなるので、低い電圧でよく、現像機内の湿度が高いほど現像剤中の水分量が増加するので、現像剤の抵抗が低下するため余剰電流が流れやすくなるので高い電圧が必要となるということを考慮する。本実施形態では、この関係式は、温度・湿度に対する圧縮ローラ５５Kと現像ローラ５４Kとの電圧差の設定値であり、次の式で表される。
【００４８】
ΔV＝（４１０−T×３）＋（H−２０）                          ・・・（１）
ここで、ΔVは圧縮ローラ５５Kと現像ローラ５４Kとの電圧差（V）、Tは現像剤温度（℃）、Hは装置内湿度（％）である。なお、現像剤の温度は、現像トナー容器５３K内の温度センサ１０により測定され、装置内の湿度は、湿度センサ１１により測定される。例えば、現像剤温度Ｔ＝３５℃、装置内湿度４０％であれば、ΔＶ＝３２５Ｖとなる。つまり現像ローラへの印加電圧が３５０Ｖの場合、圧縮部材には６７５Ｖが印加される。なお、本実施例では、計算式により温度・湿度に対する圧縮ローラ５５Kと現像ローラ５４Kとの電圧差を設定したが、温度・湿度に対する圧縮ローラ５５Kと現像ローラ５４Kとの電圧差のテーブル等を予め用意して設定してもよい。
【００４９】
次に、実施例３について説明する。実施例３は、図１９に示すような圧縮ローラ５５Ｋ印可電圧設定制御である。まず、本実施例では、予め画像形成装置起動時に、パッチシーケンスを実行し、圧縮ローラ５５Ｋの電流基準値を設定しておく。そして、まずステップ３０１で、圧縮ローラ５５Ｋの電流を検知する（ＳＴ３０１）。次に、ステップ３０２で、電流が予め設定した基準値又は前回設定した基準値から±２０％以内かどうかを判断する（ＳＴ３０２）。電流値が基準値の±２０％以内の基準内であれば、圧縮ローラ５５Ｋ印可電圧設定制御を終了する。電流が±２０％以内の基準内でなければ、ステップ３０３で、パッチシーケンスを実行し、圧縮ローラ５５Ｋ印可電圧を設定する（ＳＴ３０３）。次に、ステップ３０４で、圧縮ローラ５５Ｋ印可電圧を設定した時点の圧縮ローラ５５Ｋの電流値を記録して、これを新しい基準値とし（ＳＴ３０４）、圧縮ローラ５５Ｋ印可電圧設定制御を終了する。
【００５０】
次に、実施例３のパッチシーケンスについて説明する。本実施例のパッチシーケンスでは、圧縮ローラ５５Ｋに印可する電圧を決定する。まず、圧縮ローラ５５Ｋの印加電圧を、パッチシーケンス前に使用していた電圧、又は、装置起動時の場合には現像ローラ５４Ｋの印可電圧に対して＋３００Ｖとなる電圧を中心に、−５０Ｖ，−２５Ｖ，±０Ｖ，＋２５Ｖ，＋５０Ｖの５条件で、図１３に示すようなベタパッチを形成し、その都度パッチ濃度を参照し、規定の濃度に達したら、パッチシーケンスを終了し、その時点での印加電圧を基準値として採用する。
圧縮ローラ５５Ｋの印加電圧に対するパッチ濃度すなわちパッチセンサの信号強度は、図２０のようになる。なお、このとき、図２０のようにグラフが右肩上がりになる場合もあれば、逆に右肩下がりになる場合もある。これは現像剤の変質の要因が多岐にわたり、その要因によって変質の傾向が変わるためである。
【００５１】
続いて、適正値に達しない場合、傾向を見て、図２１に示すように、濃度が高くなった側に２５Ｖずつ増加または減少させながらパッチを形成していき、規定の濃度になった時点でシーケンスを終了し、そのときの電圧を採用する。また、そのときの圧縮部材電流を記録して新たな基準とする。図２１の場合は、＋７５Ｖ、＋１００Ｖと変更した。
なお、実施例１乃至３では、起動時に圧縮ローラ５５Ｋの電流基準値を設定したが、これに限らず、起動当初の圧縮ローラ５５Ｋの電流基準値は、前回設定した基準値を使用してもよいし、予め決定した値を使用してもよい。
また、実施例１乃至３では、常に圧縮ローラ５５Ｋの電流をモニターし、圧縮ローラ５５Ｋの電流が基準範囲内かどうかの判断を実行したが、印刷ジョブ終了後、一定時間ごと、又は一定の累積印刷枚数ごとに実行してもよい。
【００５２】
なお、パッチシーケンスは、起動時だけでなく、印刷プロセス中の紙間処理として実行してもよい。この時の各バイアスは、例えば、感光体２０Ｋの非画像部バイアスを＋６００Ｖ、画像部バイアスを＋２５Ｖ、現像ローラ５４Ｋのバイアスを＋４００Ｖ、圧縮ローラ５５Ｋのバイアスを＋８００Ｖ、一次転写バックアップローラ６１Ｋのバイアスを−２００Ｖ及び二次転写ローラ８１のバイアスを＋１０００Ｖとする。
【００５３】
次に、実施例４について説明する。図２２及び図２３に示すように、実施例４は、複数色毎の現像ユニット５０に、現像剤を回収し再利用するリサイクル装置９を設けたものである。
実施例４では、現像トナー容器５３Ｋにはポンプを配置した連通管９１Ｋを経て濃度調整された液体トナーがトナー調整槽９０Ｋから供給される。トナー調整槽９０Ｋには、トナータンク９３Ｋからトナー供給管９４Ｋを通してトナー（固形分濃度３５％）が供給される。トナーは高粘度で流動性が低いためトナー供給管９４Ｋに配置したポンプにより供給する。キャリアタンク９５Ｋから開閉弁を配置したキャリア供給管９６Ｋを通してキャリア液がトナー調整槽９０Ｋに供給される。キャリア液は、低粘度であるためポンプを用いることなく重力落下により供給される。トナー調整槽９０Ｋには、後述する現像ローラクリーニング液回収部５９Ｋから回収液体トナー管９２Ｋを通して回収液体トナーが供給される。トナー調整槽９０Ｋ内には攪拌部材９７Ｋが配置される。
【００５４】
このような画像形成装置の運転を続けるうちに画像の乱れが発生することがある。その原因は前述のように、現像剤の再利用により、トナー粒子への分散剤の付着状態が変化するためと推測される。
【００５５】
ここで画像の乱れの発生の原因と考えられる現像済み液体トナーの再利用のシステムについて説明する。現像ローラブレード５８Ｋにより現像ローラ５４Ｋに残存する液体トナーは掻き落とされ、現像ローラクリーニング液回収部５９Ｋに落下する。現像ローラクリーニング液回収部５９Ｋからの回収液体トナーは回収液体トナー管９２Ｋでトナー調整槽９０Ｋに供給される。
【００５６】
回収された液体トナーは、トナー固形分濃度が初期の濃度と異なる。その理由は、現像ニップにおいて、画像部では大部分のトナー粒子がキャリア液を伴って感光体２Ｋへ現像され、キャリア液の一部が現像ローラ５４Ｋに残る。逆に非画像部では、大部分のトナー粒子がキャリア液を伴って現像ローラ５４Ｋに残り、キャリア液の一部が感光体２０Ｋに転写される。このため、現像後に現像ローラ５４Ｋに残る液体トナーのトナー粒子とキャリア液の比率は、印刷する画像濃度によって変化する。例えば、ベタ画像印刷では、キャリア液の比率が極端に高い液体トナーが、現像ローラ５４Ｋに残り、現像ローラブレード５８Ｋにより現像ローラクリーニング液回収部５９Ｋに回収される。
【００５７】
現像ローラクリーニング液回収部５９Ｋに回収された液体トナーは、回収液体トナー管９２Ｋからトナー調整槽９０Ｋに回収される。トナー調整槽９０Ｋでは、回収された液体トナーを固形分濃度が所定の２５％になるように調整し、かつ消費された液体トナーを補充するために、トナータンク９３Ｋからトナー供給管９４Ｋを通してトナー（固形分濃度３５％）が供給する。トナーは高粘度で流動性が低いためポンプにより供給する。キャリアタンク９５Ｋから開閉弁を配置したキャリア供給管９６Ｋを通してキャリア液がトナー調整槽９０Ｋに供給される。キャリア液は、低粘度であるためポンプを用いることなく重力落下により供給される。トナー調整槽９０Ｋ内の攪拌部材９７Ｋを回転して均質化して、現像トナー容器５３Ｋに連通管９１Ｋを経て濃度調整された液体トナーを供給する。
【００５８】
回収された液体トナーは、圧縮ローラニップや、現像ローラニップの電界を通過する際、トナー粒子に付着している分散剤が剥がれる現象が起き、回収された液体トナーの再利用を繰り返す内に、トナー粒子に対する分散剤の付着量が減少する。
【００５９】
トナー粒子への分散剤の付着状態が初期状態から変化すると、圧縮ローラ５５Ｋと現像ローラ５４Ｋ間の電界下でのキャリア液中のトナー粒子の移動挙動や現像剤層の抵抗変化として現れ、このため圧縮ローラ５５Ｋから現像ローラ５４Ｋへと流れる電流の変化として現れる。本発明は、この点に注目し、圧縮ローラ５５Ｋから現像ローラ５４Ｋへと流れる電流の変化から分散剤のトナー粒子への付着状態の度合いを推定し、検知される電流値が規定値から外れると、使用している液体トナーの全てを廃棄する廃棄モードを実施することで、画像の乱れの発生を防止するものである。
【００６０】
図２４に示されるように、電流検知手段Ａにより検知される電流値は、印刷枚数の増加に伴い除々に低下する。検知した電流値が規定値の下限値に達すると使用している全ての液体トナーを廃棄する廃棄モードを実施する。
【００６１】
図２５は、液体トナーの廃棄モードを実施するための一実施例を示す。現像トナー容器５３Ｋは、ポンプを配置した液体トナー廃棄管９８Ｋにより廃棄液体トナータンク９９Ｋに連通する。なお、液体トナー廃棄管９８Ｋ及び廃棄液体トナータンク９９Ｋは、液体現像剤廃棄手段の一例とする。
【００６２】
図２４に示されるように、圧縮ローラ５５Ｋから現像ローラ５４Ｋへと流れる電流が、既定値の下限に達すると、使用している全ての液体トナーを廃棄する廃棄モードを実施する。
【００６３】
廃棄モードは次のように実施される。
【００６４】
（１）現像ユニットのすべてのローラの駆動を停止する。
【００６５】
（２）トナー調整槽９０Ｋにトナーを供給するトナータンク９３Ｋのトナー供給管９４Ｋに配置したポンプを停止し、キャリアタンク９５Ｋのキャリア供給管９６Ｋに配置した開閉弁を閉とする。
【００６６】
（３）現像トナー容器５３Ｋと廃棄液体トナータンク９９Ｋを連通する液体トナー廃棄管９８Ｋに配置したポンプを駆動し、現像トナー容器５３Ｋ内の液体トナーを廃棄トナータンク９９Ｋに廃棄する。
【００６７】
（４）同時に、トナー調整槽９０Ｋと現像トナー容器５３Ｋを結ぶ連通管９１Ｋに配置したポンプを駆動し、トナー調整槽９０Ｋ内の液体トナーを現像トナー容器５３Ｋに移動させ、廃棄トナータンク９９Ｋに廃棄する。
【００６８】
（５）一定時間両ポンプを駆動し、トナー調整槽９０Ｋと現像トナー容器５３Ｋ内の液体トナーの両方が空にして両ポンプの駆動を停止する。
【００６９】
（６）空になったトナー調整槽９０Ｋに、トナータンク９３Ｋからトナー供給管９４Ｋに配置したポンプを駆動して新品トナー（固形分濃度３５％）を供給し、キャリアタンク９５Ｋからキャリア供給管９６Ｋに配置した開閉弁を開として新品キャリア液を供給する。トナー調整槽９０Ｋ内の攪拌部材９７Ｋを回転して固形分濃度を２５％になるように均質化して、現像トナー容器５３Ｋに連通する連通管９１Ｋに配置したポンプを駆動して濃度調整された新品の液体トナーを供給する。
【００７０】
（７）画像形成装置を作動する。
【００７１】
上記廃棄モードを実施することにより、図２４に示されるように、廃棄モードを実施し、濃度調整された新品液体トナーを用いて画像形成を再開すると、圧縮ローラ５５Ｋから現像ローラ５４Ｋへと流れる電流は上昇する。電流値が規定値の下限に達すると上記の廃棄モードの実施し、圧縮ローラ５５Ｋから現像ローラ５４Ｋへと流れる電流値を規定値以上に保つ。結果として、高品質の画像を得る事が可能となる。
【００７２】
圧縮ローラ５５Ｋから現像ローラ５４Ｋへと流れる電流値の検知と廃棄モードの実施は、各色毎に独立して実施し、高品質のフルカラー画像を得ることができる。
【００７３】
このように、現像剤の特性変化、すなわち、キャリア粘度の変化や導電性の変化、トナー粒子への分散剤の付着量・付着状態の変化による電界に対する移動度や帯電特性の変化は、圧縮ローラ５５Ｋにバイアス電圧を付与し現像ローラ５４Ｋへとトナー粒子を圧縮するプロセスにおいて、その際に流れる電流の変化として現れ、この電流をモニターすることで、現像剤の変化を判断し、必要に応じてパッチ形成を行い、適正な画像濃度が得られる画像形成条件を再設定することで、現像剤が変化しても良好な画像を得ることが出来る。
このように、本実施形態の現像ユニット５０Ｋは、キャリア液中に着色剤と樹脂からなるトナー粒子を分散させた液体の現像剤を担持する現像ローラ５４Ｋと、現像ローラ５４Ｋに現像剤を供給するトナー供給ローラ５１Ｋと、現像ローラ５４Ｋに対向し、トナー供給ローラ５１Ｋにより供給された現像ローラ５４Ｋ上の現像剤に電界を付与し、現像剤の固形分を現像ローラ５４Ｋ側へ圧縮する圧縮ローラ５５Ｋと、圧縮ローラ５５Ｋに電圧を印可する圧縮ローラ電圧印可手段９２と、圧縮ローラ５５Ｋから現像ローラ５４Ｋへ流れる電流を検知する電流検知手段Ａと、を備えたので、電流の変動から現像剤特性が変化したことを検出することが可能となり、不具合に対して迅速に対応できる。
【００７４】
また、電流検知手段Ａは、所定時間検出した電流値の平均を検出値とするので、精度良く検知することができる。
また、トナー供給ローラ５１Ｋが、表面に微細な凹凸を形成したアニロックスローラからなるので、安定した現像剤の供給をすることができる。
また、圧縮ローラ電圧印可手段９２Ｋが定電圧制御手段を備えるので、現像剤の固形分の移動が安定して行われる。
また、現像ローラ５４Ｋとトナー供給ローラ５１Ｋに電圧を印加する現像ローラ電圧印加手段９１Ｋを備え、現像ローラ電圧印加手段９１Ｋが定電圧制御手段を有するので、現像剤の供給及び現像剤の固形分の移動が安定して行われる。
さらに、本発明の現像ユニット５０Ｋを用いる画像形成装置は、現像ローラ５４Ｋにより潜像を現像される感光体２０Ｋと、現像ローラ５４Ｋ上に担持された現像剤のうち、感光体２０Ｋ上の非画像部に該当した現像剤を回収し、回収した現像剤を再利用するリサイクル装置９と、を備え、電流検知手段Ａのデータに基づいて使用している全ての現像剤を廃棄する液体現像剤廃棄手段を備えるので、劣化した現像剤を使用することなく、画像の乱れの発生を防止することができる。
また、電流検知手段Ａと液体現像剤廃棄手段９８Ｋ，９９Ｋとを複数色毎の現像ユニット５０に配置するので、高品質のフルカラー画像を得ることができる。
また、電流検知手段Ａの検知した電流に応じて、パッチ処理を実行し、パッチ濃度に基づいて画像形成条件を設定するので、現像剤の変化を判断し、必要に応じてパッチ形成を行い、適正な画像濃度が得られる画像形成条件を再設定することで、現像剤が変化しても良好な画像を得ることが出来る。
また、電流検知手段Ａの検知した電流が、画像形成装置起動時に設定した基準値から所定範囲はずれた場合、パッチ処理を実行し、パッチ濃度に基づいて画像形成条件を設定するので、精度良くパッチ処理を実行することができる。
また、画像形成条件とは、現像ローラ５４Ｋ及び感光体２０Ｋの印可電圧であるので、高品質の画像を得ることができる。
【図面の簡単な説明】
【００７５】
【図１】画像形成装置の実施形態を示す図である。
【図２】画像形成装置の一部の実施形態を示す図である。
【図３】現像剤供給部材の斜視図である。
【図４】現像剤供給部材の溝の実施形態を示す図である。
【図５】現像剤規制部材の実施形態を示す図である。
【図６】画像形成装置の一部の他の実施形態を示す図である。
【図７】ギャップを有する圧縮ローラを示す図である。
【図８】電圧印可手段の実施形態を示す図である。
【図９】電流検知手段の配置を示す図である。
【図１０】電流検知手段の配置を示す図である。
【図１１】圧縮ローラ用電圧印加手段が流す電流値の高周波の変動を示す図である。
【図１２】実施例１の制御フローチャ−トを示す図である。
【図１３】ベタパッチの実施形態を示す図である。
【図１４】現像ローラ電圧に対するパッチ濃度を示す図である。
【図１５】ハーフトーンパッチの実施形態を示す図である。
【図１６】感光体と現像ローラの電圧差に対するハーフトーンパッチを示す図である。
【図１７】帯電器印可電圧に対するパッチ濃度を示す図である。
【図１８】実施例２の制御フローチャ−トを示す図である。
【図１９】実施例３の制御フローチャ−トを示す図である。
【図２０】圧縮ローラ印可電圧に対するパッチ濃度を示す図である。
【図２１】圧縮ローラ印可電圧に対するパッチ濃度を示す図である。
【図２２】実施例４の画像形成装置の実施形態を示す図である。
【図２３】実施例４の画像形成装置の一部の実施形態を示す図である。
【図２４】印刷枚数に対する電流値を示す図である。
【図２５】実施例４の画像形成装置の一部の実施形態を示す図である。
【符号の説明】
【００７６】
２０Ｙ，２０Ｍ，２０Ｃ，２０Ｋ…感光体（像担持体）、２１Ｋ…感光体ブレード、２２Ｋ…感光体クリーニング液回収部、３０Ｙ，３０Ｍ，３０Ｃ，３０Ｋ…コロナ帯電器、  ４０Ｙ，４０Ｍ，４０Ｃ，４０Ｋ…露光ユニット、５０Ｙ，５０Ｍ，５０Ｃ，５０Ｋ…現像ユニット、５１Ｙ，５１Ｍ，５１Ｃ，５１Ｋ…トナー供給ローラ（現像剤供給部材）、５２Ｋ…トナー規制ブレード（現像剤規制部材）、５３Ｙ，５３Ｍ，５３Ｃ，５３Ｋ…現像トナー容器、５４Ｙ，５４Ｍ，５４Ｃ，５４Ｋ…現像ローラ（現像剤担持体）、５５Ｋ…圧縮ローラ（現像剤圧縮部材）、５６Ｋ…圧縮ローラブレード、５７Ｋ…圧縮ローラクリーニング回収部、５８Ｋ…現像ローラブレード、５９Ｋ…現像ローラクリーニング液回収部、６０Ｙ，６０Ｍ，６０Ｃ，６０Ｋ…一次転写ユニット、６１Ｙ，６１Ｍ，６１Ｃ，６１Ｋ…一次転写バックアップローラ、７０…中間転写ベルト、８０…二次転写ユニット、８１…二次転写ローラ、８２…ベルト駆動ローラ、８３…二次転写ローラブレード、８４…二次転写ローラクリーニング液回収部、８５…従動ローラ、９０Ｋ…トナー調整槽、９１Ｋ…連通管、９２Ｋ…回収液体トナー管、９３Ｋ…トナータンク、９４Ｋ…トナー供給管、９５Ｋ…キャリアタンク、９６Ｋ…キャリア供給管、９７Ｋ…攪拌部材、９８Ｋ…液体トナー廃棄管、９９Ｋ…廃棄トナータンク、１０１Ｋ…現像ローラ電圧印加手段、１０２Ｋ…圧縮ローラ電圧印加手段
【図１】
2008107787.tif 000003
【図２】
2008107787.tif 000004
【図３】
2008107787.tif 000005
【図４】
2008107787.tif 000006
【図５】
2008107787.tif 000007
【図６】
2008107787.tif 000008
【図７】
2008107787.tif 000009
【図８】
2008107787.tif 000010
【図９】
2008107787.tif 000011
【図１０】
2008107787.tif 000012
【図１１】
2008107787.tif 000013
【図１２】
2008107787.tif 000014
【図１３】
2008107787.tif 000015
【図１４】
2008107787.tif 000016
【図１５】
2008107787.tif 000017
【図１６】
2008107787.tif 000018
【図１７】
2008107787.tif 000019
【図１８】
2008107787.tif 000020
【図１９】
2008107787.tif 000021
【図２０】
2008107787.tif 000022
【図２１】
2008107787.tif 000023
【図２２】
2008107787.tif 000024
【図２３】
2008107787.tif 000025
【図２４】
2008107787.tif 000026
【図２５】
2008107787.tif 000027